(57)【要約】      （修正有）【課題】それぞれが１台の自動車のみに付けられることに限定されない充電式バッテリの提供に寄与する解決策、及び、該解決策の応用を可能にする方法と設備を提供する。【解決手段】電源装置４を管理するシステム１００は、データベース３１とサーバエンド処理モジュール３２とを具えるサーバ３を含む。サーバエンド処理モジュール３２は、ユーザエンド電子装置１による変更要求及びサービスエンド電子装置２による変更確認信号を受信する。サービスエンド電子装置２は、対象電源装置４がサービスエンド電子装置２に記憶されているデータを更新することを可能にするために、受信した変更要求及び変更確認信号に基づいて、確認応答をサービスエンド電子装置２に送信する。【選択図】図１
2019208351.tif 000002
【特許請求の範囲】
【請求項１】
ユーザエンド電子装置（１）とサービスエンド電子装置（２）とに通信ネットワーク（２００）を介して通信しているサーバ（３）によって実施される電源装置（４）を管理する方法であって、各前記電源装置（４）は固有のバッテリ識別子を有し、前記サーバ（３）は、それぞれが異なる１つの前記電源装置（４）に対応すると共に対応する１つの前記電源装置（４）の前記バッテリ識別子を少なくとも含む複数のバッテリ情報と、対応する１つの前記電源装置（４）のユーザに対応するユーザ識別子と、対応する１つの前記電源装置（４）を使用することが許可されている少なくとも１つのキャリア装置に対応する少なくとも１つのキャリア識別子と、を記憶しており、
前記ユーザエンド電子装置（１）から、ユーザ識別子とバッテリ識別子とを含む変更要求を受信するステップと、
前記変更要求を受信したことに応じて、前記変更要求に含まれている前記ユーザ識別子と前記バッテリ識別子とを有する前記複数のバッテリ情報のうちの対象バッテリ情報に関する変更データを生成するステップと、
前記サービスエンド電子装置（２）から、バッテリ識別子を含む変更確認信号を受信するステップと、
前記サービスエンド電子装置（２）から受信した前記変更確認信号に含まれている前記バッテリ識別子が、前記対象バッテリ情報の前記バッテリ識別子と一致するか否かを判定するステップと、
前記変更確認信号に含まれている前記バッテリ識別子が前記対象バッテリ情報の前記バッテリ識別子と一致すると判定された場合に、前記変更確認信号に関する確認応答を前記サービスエンド電子装置（２）に送信して、前記サービスエンド電子装置（２）が、キャリア識別子を、前記変更確認信号に含まれている前記バッテリ識別子に対応する１つの前記電源装置（４）に送信することを可能にすることで、前記サービスエンド電子装置（２）から受信した前記キャリア識別子に基づいて前記１つの前記電源装置（４）が前記１つの前記電源装置（４）に記憶されているデータを更新することができるようにするステップと、を含むことを特徴とする、方法。
【請求項２】
前記変更要求を受信するステップにおいて、前記変更要求はキャリア識別子を更に含み、
前記確認応答を送信するステップは、前記変更要求に含まれている前記キャリア識別子を含むように前記確認応答を生成することと、前記サービスエンド電子装置（２）が前記確認応答から前記キャリア識別子を取得することを可能にするように前記確認応答を前記サービスエンド電子装置（２）に送信することと、を含む、
請求項１に記載の方法。
【請求項３】
前記変更確認信号に含まれている前記バッテリ識別子が前記対象バッテリ情報の前記バッテリ識別子と一致すると判定された場合に、前記変更要求に含まれている前記キャリア識別子に基づいて、前記対象バッテリ情報を更新するステップを更に含む、
請求項２に記載の方法。
【請求項４】
前記変更確認信号を受信するステップにおいて、前記変更確認信号は前記キャリア識別子を更に含む、
請求項１〜請求項３のいずれか一項に記載の方法。
【請求項５】
前記変更確認信号に含まれている前記バッテリ識別子が前記対象バッテリ情報の前記バッテリ識別子と一致すると判定された場合に、前記変更確認信号に含まれている前記キャリア識別子に基づいて、前記対象バッテリ情報を更新するステップを更に含む、
請求項４に記載の方法。
【請求項６】
それぞれ固有のバッテリ識別子を有する複数の電源装置（４）を管理するため、ユーザエンド電子装置（１）とサービスエンド電子装置（２）とに通信ネットワーク（２００）を介して通信することができるサーバ（３）であって、
それぞれが異なる１つの前記電源装置（４）に対応すると共に、対応する１つの前記電源装置（４）の前記バッテリ識別子を少なくとも有する複数のバッテリ情報と、対応する１つの前記電源装置（４）のユーザに対応するユーザ識別子と、対応する１つの前記電源装置（４）を使用することが許可されている少なくとも１つのキャリア装置に対応する少なくとも１つのキャリア識別子と、を記憶しているデータベース（３１）と、
前記データベース（３１）と電気的に接続されるサーバエンド処理モジュール（３２）であって、
前記ユーザエンド電子装置（１）から、ユーザ識別子とバッテリ識別子とを含む変更要求を受信し、
前記変更要求を受信したことに応じて、前記変更要求に含まれている前記ユーザ識別子と前記バッテリ識別子とを有する前記複数のバッテリ情報のうちの対象バッテリ情報に関する変更データを生成し、
前記サービスエンド電子装置（２）から、バッテリ識別子を含む変更確認信号を受信し、
前記サービスエンド電子装置（２）から受信した前記変更確認信号に含まれている前記バッテリ識別子が、前記対象バッテリ情報の前記バッテリ識別子と一致するか否かを判定し、
前記変更確認信号に含まれている前記バッテリ識別子が前記対象バッテリ情報の前記バッテリ識別子と一致すると判定された場合に、前記変更確認信号に関する確認応答を前記サービスエンド電子装置（２）に送信して、前記サービスエンド電子装置（２）が、キャリア識別子を、前記変更確認信号に含まれている前記バッテリ識別子に対応する１つの前記電源装置（４）に送信することを可能にすることで、前記サービスエンド電子装置（２）から受信した前記キャリア識別子に基づいて前記１つの前記電源装置（４）が前記１つの前記電源装置（４）に記憶されているデータを更新することができるようにするように構成されているサーバエンド処理モジュール（３２）と、を備えている、
ことを特徴とする、サーバ（３）。
【請求項７】
前記変更要求は、前記キャリア識別子を更に含み、
前記サービスエンド電子装置（２）に送信される前記確認応答は、前記キャリア識別子を含む、
請求項６に記載のサーバ（３）。
【請求項８】
前記サーバエンド処理モジュール（３２）は、
前記変更確認信号に含まれている前記バッテリ識別子が前記対象バッテリ情報の前記バッテリ識別子と一致すると判定された場合に、前記変更要求に含まれている前記キャリア識別子に基づいて、前記対象バッテリ情報を更新するように更に構成されている、
請求項７に記載のサーバ（３）。
【請求項９】
前記変更確認信号は前記キャリア識別子を更に含む、
請求項６〜請求項８のいずれか一項に記載のサーバ（３）。
【請求項１０】
前記サーバエンド処理モジュール（３２）は、
前記変更確認信号に含まれている前記バッテリ識別子が前記対象バッテリ情報の前記バッテリ識別子と一致すると判定された場合に、前記変更確認信号に含まれている前記キャリア識別子に基づいて、前記対象バッテリ情報を更新するように更に構成されている、
請求項９に記載のサーバ（３）。
【発明の詳細な説明】
【技術分野】
【０００１】
本発明は、キャリア装置で使用するための電源装置の管理に関し、特に電源装置とキャリア装置との間の結合関係の管理に関する。
【背景技術】
【０００２】
人々の環境意識の高まりに伴い、電気自動車（electric vehicles、略称：ＥＶｓ）が開発されると共に世間の注目を集めている。これらの電気自動車は、充電式に設計され得る。例えば、中国特許出願公開第１０３４０１２８６号明細書は、充電カードを用いて電動自転車を充電するための機構を開示している。
【０００３】
従来の電気自動車は、充電式バッテリを使用し、各バッテリが１台の自動車のみに結び付けられる。即ち、各バッテリは、１台の自動車のみで使用することができる一方で、他の自動車に提供して（例えば、レンタル）電力を供給することができず、したがってバッテリの使用が限定されている。
【発明の概要】
【発明が解決しようとする課題】
【０００４】
したがって、本発明は、それぞれが１台の自動車のみに付けられることに限定されない充電式バッテリの提供に寄与する解決策、及び、該解決策の応用を可能にする方法と設備を提供することを狙いとする。
【０００５】
本発明の目的は、従来技術の少なくとも１つの欠点を軽減することができる電源装置を管理する方法及びサーバを提供することにある。
【課題を解決するための手段】
【０００６】
本発明によると、電源装置を管理する方法は、サーバによって実施され、各前記電源装置は固有のバッテリ識別子を有する。前記サーバは、通信ネットワークを介して、ユーザエンド電子装置とサービスエンド電子装置とに通信することができ、且つ、それぞれが異なる１つの前記電源装置に対応すると共に対応する１つの前記電源装置の前記バッテリ識別子を少なくとも有する複数のバッテリ情報と、対応する１つの前記電源装置のユーザに対応するユーザ識別子と、対応する１つの前記電源装置を使用することが許可されている少なくとも１つのキャリア装置に対応する少なくとも１つのキャリア識別子と、を記憶している。該方法は、前記ユーザエンド電子装置から、ユーザ識別子とバッテリ識別子とを含む変更要求を受信するステップと、前記変更要求を受信したことに応じて、前記変更要求に含まれている前記ユーザ識別子と前記バッテリ識別子とを有する前記複数のバッテリ情報のうちの対象バッテリ情報に関する変更データを生成するステップと、前記サービスエンド電子装置から、バッテリ識別子を含む変更確認信号を受信するステップと、前記サービスエンド電子装置から受信された前記変更確認信号に含まれている前記バッテリ識別子が、前記対象バッテリ情報の前記バッテリ識別子と一致するか否かを判定するステップと、前記変更確認信号に含まれている前記バッテリ識別子が前記対象バッテリ情報の前記バッテリ識別子と一致すると判定された場合に、前記変更確認信号に関する確認応答を前記サービスエンド電子装置に送信して、前記サービスエンド電子装置が、キャリア識別子を、前記変更確認信号に含まれている前記バッテリ識別子に対応する１つの前記電源装置に送信することを可能にすることで、前記サービスエンド電子装置から受信した前記キャリア識別子に基づいて前記１つの前記電源装置が前記１つの前記電源装置に記憶されているデータを更新することができるようにするステップと、を含む。
【０００７】
本発明によると、複数の電源装置を管理するためのサーバは、通信ネットワークを介して、ユーザエンド電子装置とサービスエンド電子装置とに通信することができ、各電源装置は、固有のバッテリ識別子を有する。該サーバは、それぞれが異なる１つの前記電源装置に対応すると共に、対応する１つの前記電源装置の前記バッテリ識別子を少なくとも有する複数のバッテリ情報と、対応する１つの前記電源装置のユーザに対応するユーザ識別子と、対応する１つの前記電源装置を使用することが許可されている少なくとも１つのキャリア装置に対応する少なくとも１つのキャリア識別子と、を記憶しているデータベースを具えている。該サーバは、前記データベースと電気的に接続されるサーバエンド処理モジュールを更に具えている。該サーバエンド処理モジュールは、前記ユーザエンド電子装置から、ユーザ識別子及びバッテリ識別子を含む変更要求を受信するように構成されている。該サーバエンド処理モジュールは、前記変更要求を受信したことに応じて、前記変更要求に含まれている前記ユーザ識別子と前記バッテリ識別子とを有する前記複数のバッテリ情報のうちの対象バッテリ情報に関する変更データを生成するように構成されている。該サーバエンド処理モジュールは、前記サービスエンド電子装置から、バッテリ識別子を含む変更確認信号を受信するように構成されている。該サーバエンド処理モジュールは、前記サービスエンド電子装置から受信された前記変更確認信号に含まれている前記バッテリ識別子が、前記対象バッテリ情報の前記バッテリ識別子と一致するか否かを判定するように構成されている。該サーバエンド処理モジュールは、前記変更確認信号に含まれている前記バッテリ識別子が前記対象バッテリ情報のが前記バッテリ識別子と一致すると判定された場合に、前記変更確認信号に関する確認応答を前記サービスエンド電子装置に送信して、前記サービスエンド電子装置が、キャリア識別子を、前記変更確認信号に含まれている前記バッテリ識別子に対応する１つの前記電源装置に送信することを可能にすることで、前記サービスエンド電子装置から受信した前記キャリア識別子に基づいて前記１つの前記電源装置が前記１つの前記電源装置に記憶されているデータを更新することができるようにするように構成されている。
【０００８】
本発明の他の特徴および利点は、添付の図面を参照する以下の実施形態の詳細な説明において明白になるであろう。
【図面の簡単な説明】
【０００９】
【図１】一実施形態に係る電源装置を管理するシステムを例示的に示すブロック図である。
【図２】一実施形態に係る電源装置を管理する方法の第１の例の第１の部分を例示的に示すフローチャートである。
【図３】一実施形態に係る電源装置を管理する方法の第１の例の第２の部分を例示的に示すフローチャートである。
【図４】一実施形態に係る電源装置を管理する方法の第１の例の第３の部分を例示的に示すフローチャートである。
【図５】一実施形態に係る電源装置を管理する方法の第２の例の第１の部分を例示的に示すフローチャートである。
【図６】一実施形態に係る電源装置を管理する方法の第２の例の第２の部分を例示的に示すフローチャートである。
【図７】一実施形態に係る電源装置を管理する方法の第２の例の第３の部分を例示的に示すフローチャートである。
【発明を実施するための形態】
【００１０】
本発明をより詳細に説明する前に、適切と考えられる場合において、符号又は符号の末端部は、同様の特性を有し得る対応の又は類似の要素を示すために各図面間で繰り返し用いられることに留意されたい。
【００１１】
図１は一実施形態に係る電源装置を管理するシステム１００を例示的に示すブロック図である。図１に示されているように、システム１００は、ユーザエンド電子装置１と、サービスエンド電子装置２と、通信ネットワーク２００（例えば、インターネット）を介してユーザエンド電子装置１及びサービスエンド電子装置２と通信するように構成されているサーバ３と、例えば、近距離無線通信（near-field communication、略称：ＮＦＣ）を介して、サービスエンド電子装置２と通信するように構成されている複数の電源装置４（簡潔を期すため、１つの電源装置４のみ図示されている）と、を含む。本開示の一部において、ユーザエンド電子装置１及びサービスエンド電子装置２は、それぞれ電子装置と略称され得る。いくつかの実施形態によれば、サービスエンド電子装置２は、電気自動車の販売業者のモバイル装置であることができ、そして、ユーザエンド電子装置１は、電気自動車のユーザ／所有者のモバイル装置であることができる。それぞれのユーザエンド電子装置１及びサービスエンド電子装置２は、例えば、近距離無線通信対応のスマートフォン、或いは、近距離無線通信対応のタブレットコンピュータとして実施されることができるが、本発明はこれに限定されない。
【００１２】
一実施形態によれば、サーバ３は、データベース３１と、データベース３１と電気的に接続されるサーバエンド処理モジュール３２と、を備えている。サーバ３は、例えば、パーソナルコンピューター、或いは、クラウドホストとして実施されることができるが、本発明はこれに限定されない。サーバエンド処理モジュール３２は、プロセッサ、中央処理装置（central processing unit、略称：ＣＰＵ）、デジタル信号プロセッサ（digital signal processor、略称：ＤＳＰ）、システムオンアチップ（system on a chip、略称：ＳｏＣ）、または計算能力を有して本発明に係るサーバエンド処理モジュール３２の機能を実行することができる任意の他の装置として実施されることができる。
【００１３】
一実施形態によれば、各電源装置４は、固有のバッテリ識別子を有する。サーバ３のデータベース３１は、少なくとも１つのキャリア装置（図示せず）（即ち、電源装置４を使用することが許可されている少なくとも１つのキャリア装置）に関連付けられたそれぞれ異なる電源装置４に対応する複数のバッテリ識別子を記憶する。キャリア装置は、例えば電気自動車である。一実施形態によれば、各バッテリ情報は、対応する電源装置４のバッテリ識別子と、対応する電源装置４のユーザ／所有者に対応するユーザ識別子と、対応する電源装置４を使用することを許可されている少なくとも１つのキャリア装置の少なくとも１つのキャリア識別子と、を少なくとも含む。
【００１４】
一実施形態によれば、各電源装置４は、バッテリ４１と、記憶媒体４２と、バッテリ４１及び記憶媒体４２と電気的に接続されているマイクロコントローラ４３と、を具えている。記憶媒体４２は、例えば、メモリ装置であることができる。電源装置４のマイクロコントローラ４３及び記憶媒体４２は、バッテリ管理システム（Battery Management System、略称：ＢＭＳ）として共に実施されることができるが、本発明はこれに限定されない。
【００１５】
一実施形態によれば、電源装置４が少なくとも１つのキャリア装置に関連付けられる場合に、電源装置４のバッテリ識別子及び少なくとも１つのキャリア装置の少なくとも１つのキャリア識別子は、電源装置４の記憶媒体４２に記憶される。この実施形態の変化例によれば、電源装置４が少なくとも１つのキャリア装置に関連付けられる場合に、電源装置４の記憶媒体４２は対応するユーザ識別子をも記憶する。一実施形態では、少なくとも１つのキャリア装置に関連付けられている電源装置４の記憶媒体４２に記憶されているデータは、電源装置４に対応するサーバ３に記憶されているバッテリ情報と同じである。
【００１６】
電源装置を管理する方法は、図１に示されているシステム１００によって実施されることができる。図２〜図４は、それぞれ本発明に係る一実施形態による方法の第１の例の一部を示し、そして、図５〜図７は、それぞれ本発明に係る他の実施形態による方法の第２の例の一部を示す。
【００１７】
ここで図２を参照すると、電源装置を管理する方法の第１の例の第１の部分が例示的に示される。プロセスのこの一部は、ステップ５０１〜５０５を含む。
【００１８】
ステップ５０１において、ユーザエンド電子装置１は、例えば、ユーザエンド電子装置１のユーザ／所有者によって提供され得る入力信号に基づいて、変更要求を生成し、そして、変更要求をサーバ３に送信する。変更要求は、ユーザ識別子と、対象キャリア装置との関連付けを変更しようとする対象電源装置４に対応するバッテリ識別子（即ち、対象のキャリア装置と関連付けられる、或いは、対象キャリア装置との関連付けが解除されるバッテリ識別子）と、当該対象キャリア装置のキャリア識別子と、要求された変更の種類の指示（即ち、関連付けプロセスと関連付け解除プロセスとのどちらが変更要求によって要求されるか）と、を含む。一実施形態によれば、ユーザエンド電子装置１は、例えば、キャリア識別子のユーザ入力を受け取ること、対象キャリア装置のナンバープレート番号を検索すること、又は、対象キャリア装置上に位置されている２次元（２Ｄ）バーコードをスキャンすることによって、キャリア識別子を取得することができるが、本発明はこれに限定されない。本実施形態では、対象電源装置４が対象キャリア装置に関連付けられる場合に、当該対象電源装置４は、当該対象キャリア装置に結び付けられ、そして、当該対象キャリア装置において使用されることが許可されることを意味する。
【００１９】
ステップ５０２において、サーバエンド処理モジュール３２は、ユーザエンド電子装置１から変更要求を受信し、そして、データベース３１が変更要求に含まれているバッテリ識別子とユーザ識別子との両方を有するバッテリ情報を記憶しているか否かを判定する。そうであれば、手順はステップ５０３に進む。そうでなければ、手順はステップ５０４に進む。
【００２０】
ステップ５０３において、サーバエンド処理モジュール３２は、変更要求に含まれているバッテリ識別子とユーザ識別子との両方を有するバッテリ情報に関する変更データを生成する（以下、当該バッテリ情報は、対象バッテリ情報とも呼ぶ）。
【００２１】
一方、ステップ５０４において、サーバエンド処理モジュール３２は、エラー信号をユーザエンド電子装置１に送信して、変更要求に含まれているバッテリ識別子とユーザ識別子との両方を有するデータベース３１に記憶されているバッテリ情報が含まれていないことを示す。そして、ステップ５０５において、ユーザエンド電子装置１は、サーバエンド処理モジュール３２からエラー信号を受信すると、エラーメッセージをユーザエンド電子装置１のスクリーン上に表示する。
【００２２】
ここで、電源装置を管理する方法の第１の例の他の２つの部分を例示的に示す図３及び図４を参照する。プロセスの当該２つの部分は、ステップ６０１〜６０２を含むと共に、図２のステップ５０３の後に基本的に実行される。
【００２３】
ステップ６０１において、サービスエンド電子装置２は、例えば、近距離無線通信を介して、対象電源装置４に記憶されている情報を受信し、そして、受信した情報から対象電源装置４のバッテリ識別子を取得する。
【００２４】
ステップ６０２において、サービスエンド電子装置２は、対象電源装置４のバッテリ識別子を含む変更確認信号を生成し、そして、変更確認信号をサーバ３に送信する。
【００２５】
当業者であれば、図２のステップ５０３の後に、ステップ６０１及びステップ６０２を実行する必要がないことを理解するであろう。具体的には、一連のステップ６０１及び６０２は、一連のステップ５０１〜５０３より前に、又は、同時に、又は、後に開始及び／又は終了することができる。更に、対象電源装置４の記憶媒体４２にユーザ識別子が記憶されている実施形態では、サービスエンド電子装置２は、ステップ６０１において対象電源装置４から、バッテリ識別子のみならず、ユーザ識別子をも取得し、且つ、ステップ６０２において生成された変更確認信号は、取得されたユーザ識別子を更に含む。
【００２６】
ステップ６０３において、サーバエンド処理モジュール３２は、サービスエンド電子装置２から受信した変更確認信号に含まれるバッテリ識別子が、図２のステップ５０３において生成された変更データに関する対象バッテリ情報に含まれるバッテリ識別子と同じ（即ち、一致）であるか否かを判定する。そうであれば、手順はステップ６０４に進む。そうでなければ、手順はステップ６１１に進む。変更確認信号がバッテリ識別子に加えてユーザ識別子を含む実施形態では、サーバエンド処理モジュール３２は、変更確認信号に含まれるユーザ識別子が、対象バッテリ情報に含まれるユーザ識別子と同じであるか否かを更に判定し、そして、変更確認信号に含まれるバッテリ識別子とユーザ識別子との両方が対象バッテリ情報に含まれるバッテリ識別子とユーザ識別子との両方と同じである場合にのみ、ステップ６０４に進む。
【００２７】
ステップ６１１において、サーバエンド処理モジュール３２は、エラー信号をサービスエンド電子装置２に送信する。そして、ステップ６１２において、サービスエンド電子装置２は、サーバエンド処理モジュール３２からエラー信号を受信すると、エラーメッセージをサービスエンド電子装置２のスクリーン上に表示する。
【００２８】
一方、ステップ６０４において、サーバエンド処理モジュール３２は、変更要求に含まれる指示に基づいて、関連付けプロセスと関連付け解除プロセスのどちらが変更要求によって要求されるかを判定する。関連付けプロセスが要求される場合にはステップ６０５に進み、関連付け解除プロセスが要求される場合にはステップ６０８に進む。
【００２９】
ステップ６０５において、サーバエンド処理モジュール３２は、データベース３１に記憶されている対象バッテリ情報を更新して変更要求に含まれるキャリア識別子を含むようにし、変更確認信号に関する関連付け指示とキャリア識別子とを含む確認応答を生成し、そして、確認応答をサービスエンド電子装置２に送信する。
【００３０】
ステップ６０６において、サービスエンド電子装置２は、サーバ３から確認応答を受信する。そして、サービスエンド電子装置２は、受信した確認応答に含まれるキャリア識別子と関連付け指示に従って、確認応答に含まれるキャリア識別子を含むキャリア追加指示を生成し、そして、例えば、近距離無線通信を介してキャリア追加指示を対象電源装置４に送信する。
【００３１】
ステップ６０７において、対象電源装置４のマイクロコントローラ４３は、サービスエンド電子装置２からキャリア追加指示を受信し、そして、キャリア追加指示に含まれるキャリア識別子を対象電源装置４の記憶媒体４２に記憶する。この場合は、対象キャリア装置は、対象電源装置４を使用することが許可される。
【００３２】
一方、ステップ６０８において、サーバエンド処理モジュール３２は、データベース３１に記憶されている対象バッテリ情報を更新して対象バッテリ情報から変更要求に含まれるキャリア識別子を削除し、変更確認信号に関する関連付け解除指示とキャリア識別子とを含む確認応答を生成し、そして、確認応答をサービスエンド電子装置２に送信する。
【００３３】
ステップ６０９において、サービスエンド電子装置２は、サーバ３から確認応答を受信する。そして、サービスエンド電子装置２は、受信した確認応答に含まれるキャリア識別子と関連付け解除指示に従って、確認応答に含まれるキャリア識別子を含むキャリア削除指示を生成し、そして、例えば、近距離無線通信を介してキャリア削除指示を対象電源装置４に送信する。
【００３４】
ステップ６１０において、対象電源装置４のマイクロコントローラ４３は、サービスエンド電子装置２からキャリア削除指示を受信し、そして、キャリア削除指示に含まれるキャリア識別子を対象電源装置４の記憶媒体４２から削除する。この場合は、対象キャリア装置は、対象電源装置４を使用することが禁止される。
【００３５】
図１に示されているシステム１００によって実施されることができる電源装置を管理するための方法の第２の例は、図５〜図７に示されている。図２〜図７から明らかなように、第２の例は第１の例と大方同じである。これら２つの例の主な違いは、第２の例においては、対象キャリア装置のキャリア識別子、及び、要求された変更の種類が、第１の例のようにユーザエンド電子装置１によって提供されるのではなく、サービスエンド電子装置２によって提供される点にある。以下の第２の例の説明は、第１の例に関する上述した内容を繰り返さずに、第１の例とは異なる部分に焦点を当てる。
【００３６】
ここで図５を参照すると、電源装置を管理する方法の第２の例の第１の部分が例示的に示される。プロセスのこの一部は、ステップ７０１〜７０５を含む。
【００３７】
ステップ７０１において、ユーザエンド電子装置１は、入力信号に基づいて同様に変更要求を生成し、そして、変更要求をサーバ３に送信する。生成した変更要求は、対象電源装置４に対応するユーザ識別子とバッテリ識別子とを含む。
【００３８】
以下のステップ７０２〜７０５は、ステップ５０２〜５０５と同じである。要するに、ステップ７０２において、サーバエンド処理モジュール３２は、データベース３１が変更要求に含まれるバッテリ識別子とユーザ識別子との両方を含むバッテリ情報を記憶しているか否かを判定する。そうであれば、手順はステップ７０３に進み、サーバエンド処理モジュール３２が変更要求に含まれるバッテリ識別子とユーザ識別子との両方を含むバッテリ情報（即ち、対象バッテリ情報）に関する変更データを生成する。そうでなければ、手順はステップ７０４に進み、サーバエンド処理モジュール３２がエラー信号をユーザエンド電子装置１に送信し、そしてステップ７０５に進み、ユーザエンド電子装置１がエラー信号を受信するとエラーメッセージをユーザエンド電子装置１のスクリーン上に表示する。
【００３９】
ここで図６と図７を参照すると、電源装置を管理する方法の第２の例の他の２つの部分が例示的に示される。プロセスのこの２つの部分は、ステップ８０１〜８１２を含む。
【００４０】
ステップ８０１は、サービスエンド電子装置２が対象電源装置４から少なくとも対象電源装置４のバッテリ識別子を取得するステップ６０１と同じである。
【００４１】
そして、ステップ８０２において、サービスエンド電子装置２は、変更確認信号を生成し、そして、変更確認信号をサーバ３に送信する。変更確認信号は、対象電源装置４のバッテリ識別子と、対象キャリア装置のキャリア識別子と、確認した変更の種類の指示（即ち、関連付けプロセスと関連付け解除プロセスとのどちらが変更確認信号によって確認される）と、を少なくとも含む。一実施形態によれば、サービスエンド電子装置２は、例えば、キャリア識別子のユーザ入力を受け取ること、対象キャリア装置のナンバープレート番号を検索すること、又は、対象キャリア装置上に位置されている２次元（２Ｄ）バーコードをスキャンすることによって、キャリア識別子を取得することができるが、本発明はこれに限定されない。
【００４２】
以下のステップ８０３は、ステップ６０３と同じであり、サーバエンド処理モジュール３２は、サービスエンド電子装置２から受信した変更確認信号に含まれるバッテリ識別子がステップ７０３において生成した変更データに関する対象バッテリ情報に含まれるバッテリ識別子と同じであるか否かを少なくとも判定する。そうであれば、手順はステップ８０４に進む。そうでなければ、手順はステップ６１１及びステップ６１２と同じであるステップ８１１及びステップ８１２に進み、サーバエンド処理モジュール３２は、エラー信号をサービスエンド電子装置２に送信し、そして、サービスエンド電子装置２は、エラーメッセージをサービスエンド電子装置２のスクリーン上に表示する。
【００４３】
ステップ８０４において、サーバエンド処理モジュール３２は、変更確認信号に含まれる指示が関連付けプロセス、或いは、関連付け解除プロセスのどちらを示すかを判定する。関連付けプロセスが示される場合に、手順はステップ８０５に進み、関連付け解除プロセスが示される場合に、手順はステップ８０８に進む。
【００４４】
ステップ８０５において、サーバエンド処理モジュール３２は、データベース３１に記憶されている対象バッテリ情報を更新して変更確認信号に含まれるキャリア識別子を含むようにし、変更確認信号に関する関連付け指示とキャリア識別子とを含む確認応答を生成し、そして、確認応答をサービスエンド電子装置２に送信する。
【００４５】
ステップ８０５に続くステップ８０６及びステップ８０７は、ステップ６０６及びステップ６０７と同じであり、サービスエンド電子装置２は、確認応答に含まれるキャリア識別子を含むキャリア追加指示を対象電源装置４に送信し、そして、対象電源装置４は、キャリア追加指示に含まれるキャリア識別子を対象電源装置４の記憶媒体４２に記憶する。
【００４６】
一方、ステップ８０８においては、サーバエンド処理モジュール３２は、データベース３１に記憶されている対象バッテリ情報を更新して対象バッテリ情報から変更確認信号に含まれるキャリア識別子を削除し、変更確認信号に関する関連付け解除指示とキャリア識別子とを含む確認応答を生成し、そして、確認応答をサービスエンド電子装置２に送信する。
【００４７】
ステップ８０８に続くステップ８０９及びステップ８１０は、ステップ６０９及びステップ６１０と同じであり、サービスエンド電子装置２は、確認応答に含まれるキャリア識別子を含むキャリア削除指示を対象電源装置４に送信し、そして、対象電源装置４は、キャリア削除指示に含まれるキャリア識別子を対象電源装置４の記憶媒体４２から削除する。
【００４８】
総括すると、上述したような電源装置を管理する方法において、ユーザエンド電子装置とサービスエンド電子装置とサーバとの協働によって、電源装置の設定が便利に変更され、より多くのキャリア装置が電源装置を使用すること、或いは、キャリア装置の電源装置へのアクセシビリティを削除することが可能となる。上記から分かるように、開示された方法は、ユーザエンド電子装置による変更要求の有効性を確認する（例えば、対象電源装置は、要求を出したユーザに属するか否かを確認する）ステップ５０２又はステップ７０２によって実施される第１の確認機構を含む。開示された方法は、ユーザエンド電子装置によって提出された変更要求に含まれるバッテリ識別子が、サービスエンド（例えば、販売業者）に持ち込まれた対象電源装置のバッテリ識別子と一致するか否かを確認するステップ６０３又はステップ８０３によって実施される第２の確認機構を更に含む。よって、開示された方法は、複数のキャリア装置が同じ電源装置を安全に共有することを効果的に可能にすることで、電源装置の利用を改善する。
【００４９】
上記の説明では、説明の目的のために、実施形態の完全な理解を提供するために多数の特定の詳細が述べられた。しかしながら、しかしながら、当業者であれば、一またはそれ以上の他の実施形態が具体的な詳細を示さなくとも実施され得ることが明らかである。また、本明細書における「一つの実施形態」「一実施形態」を示す説明において、序数などの表示を伴う説明は全て、特定の態様、構造、特徴を有する本発明の具体的な実施に含まれ得るものであることと理解されたい。更に、本説明において、時には複数の変化例が一つの実施形態、図面、またはこれらの説明に組み込まれているが、これは本説明を合理化させるためのもので、本発明の多面性が理解されることを目的としたものであり、また、一実施形態における一またはそれ以上の特徴あるいは特定の具体例は、適切な場合には、本開示の実施において、他の実施形態における一またはそれ以上の特徴あるいは特定の具体例と共に実施され得る。
【００５０】
以上、本発明の好ましい実施形態および変化例を説明したが、本発明はこれらに限定されるものではなく、最も広い解釈の精神および範囲内に含まれる様々な構成として、全ての修飾および均等な構成を包含するものとする。
【図１】
2019208351.tif 000003
【図２】
2019208351.tif 000004
【図３】
2019208351.tif 000005
【図４】
2019208351.tif 000006
【図５】
2019208351.tif 000007
【図６】
2019208351.tif 000008
【図７】
2019208351.tif 000009
【外国語明細書】
2019208351000001.pdf